(57)【要約】【課題】装置本体を手に持った状態でタッチ操作を行う場合での誤操作を防止する。【解決手段】電子辞書１は、タッチ操作により複数の機能を実行可能であり、装置本体の所定の把持位置と何れかの機能とを対応付けて記憶する記憶部８０と、ＣＰＵ２０とを備える。ＣＰＵ２０は、ユーザによるタッチ操作を検出し、ユーザにより把持位置が押圧されたか否かを検出し、把持位置の押圧が検出された場合に、記憶部８０から当該把持位置に対応する機能を読み出して、当該機能のみをユーザによるタッチ操作に応じて実行する。【選択図】図１１
2015060494.tif 000002
【特許請求の範囲】
【請求項１】
タッチ操作により複数の機能を実行可能な携帯端末装置において、
装置本体に設けられた把持エリア内の把持位置と、前記複数の機能のうちの何れかの機能とを対応付けて記憶する把持機能記憶手段と、
前記把持エリアと異なるタッチエリアに対するユーザによるタッチ操作を検出するタッチ操作検出手段と、
ユーザにより前記把持位置が押圧されたか否かを検出する把持位置検出手段と、
前記把持位置検出手段により前記把持位置の押圧が検出されない場合に、前記複数の機能のうちの任意の機能を、前記タッチ操作検出手段により検出されたタッチ操作に応じて実行する任意機能実行手段と、
前記把持位置検出手段により前記把持位置の押圧が検出された場合に、当該把持位置に対応する機能を前記把持機能記憶手段から読み出して、当該機能のみを前記タッチ操作検出手段により検出されたタッチ操作に応じて実行する把持機能実行手段と、
を備えることを特徴とする携帯端末装置。
【請求項２】
請求項１に記載の携帯端末装置において、
タッチパネルと、
装置本体が把持されているか否かを判定する把持状態判定手段と、
前記把持状態判定手段により装置本体が把持されていると判定された場合に、前記何れかの機能に対応付けられた前記把持位置を前記タッチパネル上に表示させる把持位置表示手段と、
を備えることを特徴とする携帯端末装置。
【請求項３】
請求項２に記載の携帯端末装置において、
前記把持機能記憶手段は、複数の把持位置と、互いに異なる複数の機能とを対応付けて記憶し、
前記把持位置表示手段は、前記把持状態判定手段により装置本体が把持されていると判定された場合に、互いに異なる機能に対応付けられた前記複数の把持位置を前記タッチパネル上に表示させることを特徴とする携帯端末装置。
【請求項４】
請求項１〜３の何れか一項に記載の携帯端末装置において、
把持機能記憶手段は、前記把持位置と、前記複数の機能のうちユーザ操作により選択された機能とを対応付けて記憶することを特徴とする携帯端末装置。
【請求項５】
請求項１〜４の何れか一項に記載の携帯端末装置において、
ユーザによる文字入力に応じて情報を検索する情報検索手段と、
前記情報検索手段により検索された情報を表示させる検索情報表示手段と、
を備え、
前記把持機能記憶手段は、文字入力を受け付けつつ前記情報検索手段による情報検索が随時行われる検索中状態と、前記検索情報表示手段により情報が表示された情報表示状態とを含む複数の検索状態それぞれにおいて、前記把持位置と前記複数の機能のうちの何れかの機能とを個別に対応付けて記憶し、
前記把持機能実行手段は、前記タッチ操作検出手段によりタッチ操作が検出されたときの前記検索状態に応じて、前記把持位置に対応する機能を前記把持機能記憶手段から読み出して実行することを特徴とする携帯端末装置。
【請求項６】
請求項５に記載の携帯端末装置において、
把持機能記憶手段は、前記把持位置と、前記複数の機能のうちユーザ操作により選択された機能とを、前記検索状態毎に対応付けて記憶することを特徴とする携帯端末装置。
【請求項７】
タッチ操作により複数の機能を実行可能であって、装置本体にユーザにより把持可能な把持エリアを備えるコンピュータに、
前記把持エリア内の把持位置と、前記複数の機能のうちの何れかの機能とを対応付けて記憶させる把持機能記憶機能と、
前記把持エリアと異なるタッチエリアに対するユーザによるタッチ操作を検出するタッチ操作検出機能と、
ユーザにより前記把持位置が押圧されたか否かを検出する把持位置検出機能と、
前記把持位置検出機能により前記把持位置の押圧が検出されない場合に、前記複数の機能のうちの任意の機能を、前記タッチ操作検出機能により検出されたタッチ操作に応じて実行する任意機能実行機能と、
前記把持位置検出機能により前記把持位置の押圧が検出された場合に、前記把持機能記憶機能から当該把持位置に対応する機能を読み出して、当該機能のみを前記タッチ操作検出機能により検出されたタッチ操作に応じて実行する把持機能実行機能と、
を実現させることを特徴とするプログラム。
【発明の詳細な説明】
【技術分野】
【０００１】
本発明は、携帯端末装置及びプログラムに関する。
【背景技術】
【０００２】
近年、スマートフォンやタブレット端末，電子辞書など、タッチパネルで操作することが可能な携帯端末装置が増加している。この種の携帯端末装置では、選択や決定を行うタップのほかにも、表示画面をスライドさせるスワイプや、リスト表示を高速送りさせるフリックといった、様々なタッチ操作が可能となっている。また、特定のキーを押しながらタッチ操作をすると、このキーを押さない場合とは異なる機能を実行するものなども提案されている（例えば、特許文献１参照）。
【先行技術文献】
【特許文献】
【０００３】
【特許文献１】特開２０００−１７２３９１号公報
【発明の概要】
【発明が解決しようとする課題】
【０００４】
ところで、このような携帯端末装置では、ユーザが車中などで当該装置を手に持った状態でタッチ操作する場合に、車両の振動などを受けて誤操作してしまうことがある。具体的には、例えば、ユーザがリスト表示の高速送り（フリック）をしたいときに、その操作途中でタッチ状態が解除されて決定操作（タップ）と認識されてしまったり、リスト表示中の特定の項目を選択（タップ）したいときに、タッチ操作が弾かれてリスト表示が高速送り（フリック）されてしまったりすることがある。
【０００５】
本発明の課題は、装置本体を手に持った状態でタッチ操作を行う場合であっても、誤操作を防止することができる携帯端末装置及びプログラムを提供することである。
【課題を解決するための手段】
【０００６】
以上の課題を解決するため、本発明は、
タッチ操作により複数の機能を実行可能な携帯端末装置において、
装置本体に設けられた把持エリア内の把持位置と、前記複数の機能のうちの何れかの機能とを対応付けて記憶する把持機能記憶手段と、
前記把持エリアと異なるタッチエリアに対するユーザによるタッチ操作を検出するタッチ操作検出手段と、
ユーザにより前記把持位置が押圧されたか否かを検出する把持位置検出手段と、
前記把持位置検出手段により前記把持位置の押圧が検出されない場合に、前記複数の機能のうちの任意の機能を、前記タッチ操作検出手段により検出されたタッチ操作に応じて実行する任意機能実行手段と、
前記把持位置検出手段により前記把持位置の押圧が検出された場合に、当該把持位置に対応する機能を前記把持機能記憶手段から読み出して、当該機能のみを前記タッチ操作検出手段により検出されたタッチ操作に応じて実行する把持機能実行手段と、
を備えることを特徴とする携帯端末装置。
【発明の効果】
【０００７】
本発明によれば、装置本体を手に持った状態でタッチ操作を行う場合であっても、誤操作を防止することができる。
【図面の簡単な説明】
【０００８】
【図１】実施形態における電子辞書の平面図である。
【図２】実施形態における電子辞書の内部構成を示すブロック図である。
【図３】把持機能データを説明するための図である。
【図４】情報表示制御処理の流れを示すフローチャートである。
【図５】情報表示制御処理の流れを示すフローチャートである。
【図６】情報表示制御処理の流れを示すフローチャートである。
【図７】情報表示制御処理の流れを示すフローチャートである。
【図８】情報表示制御処理の流れを示すフローチャートである。
【図９】情報表示制御処理の流れを示すフローチャートである。
【図１０】情報表示制御処理の流れを示すフローチャートである。
【図１１】情報表示制御処理でのディスプレイの表示例を示す図である。
【図１２】情報表示制御処理でのディスプレイの表示例を示す図である。
【図１３】情報表示制御処理でのディスプレイの表示例を示す図である。
【図１４】情報表示制御処理でのディスプレイの表示例を示す図である。
【図１５】情報表示制御処理でのディスプレイの表示例を示す図である。
【図１６】本発明に係る携帯端末装置を適用したタブレット端末の平面図である。
【発明を実施するための形態】
【０００９】
以下、添付図面を参照して、本発明に係る携帯端末装置を電子辞書に適用した場合の実施形態の一例を詳細に説明する。但し、発明の範囲は、図示例に限定されない。
【００１０】
［外観構成］
まず、本実施形態における電子辞書１の外観構成について説明する。
図１は、電子辞書１の平面図である。
この図に示すように、電子辞書１は、ディスプレイ１０及びキー群２を備えている。
【００１１】
ディスプレイ１０は、ユーザによるキー群２の操作に応じた文字や符号等、各種データを表示する部分であり、ＬＣＤ（Liquid Crystal Display）やＥＬＤ（Electronic Luminescence Display）等によって構成されている。このディスプレイ１０は、いわゆるタッチパネル１１０（図２参照）と一体的に形成されており、ユーザによるタッチ操作を受け付け可能となっている。また、ディスプレイ１０のうち、左端の領域には把持機能エリア１０ａが設けられており、この把持機能エリア１０ａを除く領域が、ユーザによるタッチ操作を受け付け可能なタッチエリア１０ｂとなっている。このうち、少なくとも把持機能エリア１０ａは、ユーザが把持することができるように強化された透明部材で構成されており、後述するように、表示状態に応じて、例えば「ＧＥＳＴＵＲＥ」，「ＳＣＲＯＬＬ」，「ＳＥＬＥＣＴ」等の把持機能アイコンＨが表示されるようになっている。なお、把持機能エリア１０ａ及びタッチエリア１０ｂの両方を、強化された透明部材で覆われたタッチ表示パネルとして一体的に構成するようにしてもよい。
【００１２】
キー群２は、ユーザから電子辞書１を操作するための操作を受ける各種キーを有している。具体的には、キー群２は、訳／決定キー２ｂと、文字キー２ｃと、コンテンツ選択キー２ｄと、カーソルキー２ｅと、削除キー２ｈ等とを有している。
【００１３】
訳／決定キー２ｂは、各種処理の実行、見出し語の決定等に使用されるキーである。文字キー２ｃは、ユーザによる文字の入力等に使用されるキーである。コンテンツ選択キー２ｄは、後述の辞書データベース８２０，…及び電子書籍データベース８２１（図２参照）の選択に使用されるキーである。
【００１４】
カーソルキー２ｅは、画面内の反転表示位置、つまりカーソル位置の移動等に使用されるキーであり、本実施形態においては上下左右の方向を指定可能となっている。削除キー２ｈは、カーソル位置などの文字を削除するときに使用されるキーである。
【００１５】
［内部構成］
続いて、電子辞書１の内部構成について説明する。
図２は、電子辞書１の内部構成を示すブロック図である。
【００１６】
この図に示すように、電子辞書１は、入力部３０、表示部４０、裏面タッチセンサ５０、加速度センサ６０、記憶媒体読取部７０、記憶部８０、ＣＰＵ（Central Processing Unit）２０を備え、各部はバスで相互にデータ通信可能に接続されて構成されている。
【００１７】
入力部３０は、上述のキー群２やタッチパネル１１０を備えており、押下されたキーやタッチパネル１１０の位置に対応する信号をＣＰＵ２０に出力する。
表示部４０は、上述のディスプレイ１０を備えており、ＣＰＵ２０から入力される表示信号に基づいて各種情報をディスプレイ１０に表示する。
【００１８】
裏面タッチセンサ５０は、電子辞書１本体の裏面側に搭載されたタッチセンサであり、当該裏面タッチセンサ５０がタッチされているか否かを検知して、その検知信号をＣＰＵ２０に出力する。
加速度センサ６０は、電子辞書１に作用する加速度を３軸方向の成分に分解して検出するセンサであり、検出した加速度の検出データをＣＰＵ２０に出力する。
【００１９】
記憶媒体読取部７０は、種々の情報を記憶した記憶媒体７０ａが着脱可能なカードスロット（図示省略）を備えており、当該カードスロットに装着された記憶媒体７０ａから情報を読み出したり、当該記憶媒体７０ａに情報を記憶させたりする。
【００２０】
記憶部８０は、電子辞書１の各種機能を実現するためのプログラムやデータを記憶するとともに、ＣＰＵ２０の作業領域としても機能するメモリである。本実施形態においては、記憶部８０は、情報表示制御プログラム８１と、コンテンツ群８２と、把持機能データ８３等とを記憶している。
【００２１】
情報表示制御プログラム８１は、後述の情報表示制御処理（図４参照）をＣＰＵ２０に実行させるためのプログラムである。
【００２２】
コンテンツ群８２は、「英英辞典」などの複数種類の辞書データベース８２０，…と、日本文学及び世界文学の２種類の電子書籍データベース８２１，…とを有している。
各辞書データベース８２０には、見出し語と、この見出し語の説明情報のテキストとが対応付けられて複数格納されている。
各電子書籍データベース８２１には、書籍名と、この書籍の本文のテキストとが対応付けられて複数格納されている。
【００２３】
把持機能データ８３は、後述の情報表示制御処理（図４参照）においてディスプレイ１０の把持機能エリア１０ａに表示される把持機能アイコンＨ（図１等参照）の種類や位置，サイズについての情報である。把持機能アイコンＨは、押圧（タッチ）されているときに特定の操作（機能）のみを実行可能な状態にするものであり、例えばユーザが電子辞書１本体を把持した手でタッチしておくことで、もう一方の手によるタッチ操作での誤操作を防止するものである。したがって、把持機能データ８３は、把持機能エリア１０ａ内での把持機能アイコンＨの位置（サイズ含む）と、当該把持機能アイコンＨに割り当てられた機能とを対応付けてなるものである。
【００２４】
また、把持機能データ８３は、本実施形態においては、ユーザが見出し語や書籍名等の検索を行うときに読み出されて用いられるようになっている。より詳しくは、図３に示すように、把持機能データ８３は、「新規入力状態」、「入力＆見出し一覧状態」、「テキスト表示状態」の３つの検索状態における把持機能アイコンＨの情報を個別に保持する３つの把持機能データ８３ａ〜８３ｃからなり、検索実行時の検索状態に対応したものが適宜読み出されて用いられる。ここで、「新規入力状態」とは、検索語が未だ一文字も入力されていない入力待ちの状態であり、「入力＆見出し一覧状態」とは、検索語が少なくとも一部入力されて入力済み文字の検索結果リストが一覧表示された状態であり、「テキスト表示状態」とは、特定の見出し語や書籍名等が選択されてその説明文や本文のテキストが表示された状態である。
【００２５】
把持機能アイコンＨとしては、本実施形態においては、手書き入力操作のみを実行可能にする「ＷＲＩＴＥ」、特定の機能選択操作のみを実行可能にする「ＳＥＬＥＣＴ」、画面スクロール操作のみを実行可能にする「ＳＣＲＯＬＬ」、選択（指定）操作のみを実行可能にする「ＥＮＴＥＲ」、後述のジェスチャー操作のみを実行可能にする「ＧＥＳＴＵＲＥ」などがある。把持機能データ８３は、各検索状態におけるこれら把持機能アイコンＨの情報として、図３に示す初期設定されたものを予め保持しているほか、後述するように、ユーザ設定されたものを別途保持できるようになっている。
【００２６】
ＣＰＵ２０は、図２に示すように、入力される指示に応じて所定のプログラムに基づいた処理を実行し、各機能部への指示やデータの転送等を行い、電子辞書１を統括的に制御する。具体的には、ＣＰＵ２０は、入力部３０から入力される操作信号等に応じて記憶部８０に格納された各種プログラムを読み出し、当該プログラムに従って処理を実行する。そして、ＣＰＵ２０は、処理結果を記憶部８０に一時保存するとともに、当該処理結果を表示部４０に適宜出力させる。
【００２７】
［動作］
続いて、電子辞書１が情報表示制御処理を実行する際の動作について説明する。
図４〜図１０は、ＣＰＵ２０が情報表示制御プログラム８１を読み出して実行する情報表示制御処理の流れを示すフローチャートである。
【００２８】
図４に示すように、情報表示制御処理では、まずＣＰＵ２０は、コンテンツ選択キー２ｄに対するユーザ操作に応じて、何れかの辞書データベース８２０を選択するか、又は日本文学及び世界文学のうちの何れかの電子書籍データベース８２１を選択する（ステップＳ１）。
【００２９】
次に、ＣＰＵ２０は、ステップＳ１での選択結果に応じた検索画面をディスプレイ１０に表示させる（ステップＳ２）。具体的には、ＣＰＵ２０は、ステップＳ１で辞書データベース８２０を選択した場合には当該辞書データベースに対する各種検索（例えば見出し語検索や例文検索など）用の検索画面を表示させ、電子書籍データベース８２１を選択した場合には当該電子書籍データベース８２１に対する各種検索（例えば書籍名検索など）の検索画面を表示させる。
このときの検索状態は、検索語が未だ一文字も入力されていない検索語の「新規入力状態」となっている。
【００３０】
次に、ＣＰＵ２０は、電子辞書１本体がユーザに把持されているか否かを判定する（ステップＳ３）。このステップＳ３では、ＣＰＵ２０は、ディスプレイ１０（タッチパネル１１０）左端部の把持機能エリア１０ａがタッチされており、且つ、加速度センサ６０から入力される検出データに基づいて電子辞書１本体が持ち上げられていると判断するか、若しくは裏面タッチセンサ５０がタッチされるかした場合に、電子辞書１本体がユーザに把持されていると判定する。
【００３１】
このステップＳ３において、電子辞書１本体がユーザに把持されていると判定した場合（ステップＳ３；Ｙｅｓ）、ＣＰＵ２０は、記憶部８０に記憶された把持機能データ８３のうち、「新規入力状態」の把持機能データ８３ａとして、ユーザに設定されたものがあるか否かを判定する（ステップＳ４）。
【００３２】
このステップＳ４において、ユーザ設定された「新規入力状態」の把持機能データ８３ａがあると判定した場合（ステップＳ４；Ｙｅｓ）、ＣＰＵ２０は、このユーザ設定された把持機能データ８３ａ内の把持機能アイコンＨの情報（種類，位置，サイズ）に基づいて、把持機能アイコンＨをディスプレイ１０の把持機能エリア１０ａ内に表示させる（ステップＳ５）。
【００３３】
また、ステップＳ４において、ユーザ設定された「新規入力状態」の把持機能データ８３ａがないと判定した場合（ステップＳ４；Ｎｏ）、ＣＰＵ２０は、初期設定の「新規入力状態」の把持機能データ８３ａ内の把持機能アイコンＨの情報に基づいて、把持機能アイコンＨをディスプレイ１０の把持機能エリア１０ａに表示させる（ステップＳ６）。本実施形態では、当該初期設定の把持機能データ８３ａ内の把持機能アイコンＨの情報（上段位置「ＷＲＩＴＥ」、中段位置「ＳＥＬＥＣＴ」）に基づいて、把持機能アイコンＨの「ＷＲＩＴＥ」と「ＳＥＬＥＣＴ」がディスプレイ１０の把持機能エリア１０ａの上段と中段に表示される（図１１（ａ）等参照）。
【００３４】
次に、ＣＰＵ２０は、ユーザによるタッチ操作がディスプレイ１０（タッチパネル１１０）のタッチエリア１０ｂに入力されたか否かを判定し（ステップＳ７）、入力されないと判定した場合には（ステップＳ７；Ｎｏ）、当該ステップＳ７を繰り返す。
【００３５】
また、ステップＳ７において、ユーザによるタッチ操作が入力されたと判定した場合には（ステップＳ７；Ｙｅｓ）、ＣＰＵ２０は、このタッチ操作が一般機能アイコンＧ（図１１（ａ）等参照）に対してされたものか否かを判定する（ステップＳ８）。ここで、一般機能アイコンＧとは、ディスプレイ１０のタッチエリア１０ｂの側端に表示される一般的な機能を実行するためのものであり、例えば「メニュー」（メニュー画面の表示）や「入力ガイド」（ヘルプ画面の表示）等のアイコンである。
【００３６】
このステップＳ８において、一般機能アイコンＧに対するタッチ操作が入力されたと判定した場合には（ステップＳ８；Ｙｅｓ）、ＣＰＵ２０は、このタッチ操作された一般機能アイコンＧに応じた処理を実行する。
【００３７】
また、ステップＳ８において、一般機能アイコンＧに対するタッチ操作が入力されていない，つまり、入力されたタッチ操作が一般機能アイコンＧ以外へのものであると判定した場合には（ステップＳ８；Ｎｏ）、ＣＰＵ２０は、ディスプレイ１０の把持機能エリア１０ａにおいてタッチされている位置（以下、「把持位置」という。）が、把持機能アイコンＨの「ＳＥＬＥＣＴ」であるか否かを判定する（ステップＳ９）。
【００３８】
このステップＳ９において、把持位置が把持機能アイコンＨの「ＳＥＬＥＣＴ」であると判定した場合（ステップＳ９；Ｙｅｓ）、ＣＰＵ２０は、当該把持位置に対応する機能を把持機能データ８３ａから読み出して、入力されたタッチ操作が検索モードの選択（変更）であると判断し、このタッチ操作に応じた検索モードの変更のみをただちに実行した後に（ステップＳ１０）、上述のステップＳ７へ移行する。
【００３９】
また、ステップＳ９において、把持位置が把持機能アイコンＨの「ＳＥＬＥＣＴ」ではないと判定した場合には（ステップＳ９；Ｎｏ）、ＣＰＵ２０は、把持位置が把持機能アイコンＨの「ＷＲＩＴＥ」であるか否かを判定する（ステップＳ１１）。
【００４０】
このステップＳ１１において、把持位置が把持機能アイコンＨの「ＷＲＩＴＥ」ではないと判定した場合（ステップＳ１１；Ｎｏ）、ＣＰＵ２０は、他の処理へ移行する。なお、把持機能データ８３ａに「ＳＥＬＥＣＴ」，「ＷＲＩＴＥ」以外の把持機能アイコンＨが設定されているときには、ＣＰＵ２０は、当該把持機能アイコンＨに対応した機能を実行する。
【００４１】
また、ステップＳ１１において、把持位置が把持機能アイコンＨの「ＷＲＩＴＥ」であると判定した場合には（ステップＳ１１；Ｙｅｓ）、ＣＰＵ２０は、当該把持位置に対応する機能を把持機能データ８３ａから読み出して、入力されたタッチ操作が手書き文字の入力であると判断し、この手書き文字の認識のみをただちに開始した後に（ステップＳ１２）、後述のステップＳ２０へ移行する。なお、このときには、ディスプレイ１０のタッチエリア１０ｂ全面での手書き文字の認識が可能となっている。
【００４２】
また、上述のステップＳ３において、電子辞書１本体がユーザに把持されていないと判定した場合には（ステップＳ３；Ｎｏ）、図５に示すように、ＣＰＵ２０は、ユーザによるタッチ操作がディスプレイ１０（タッチパネル１１０）に入力されたか否かを判定する（ステップＳ１３）。
【００４３】
このステップＳ１３において、ユーザによるタッチ操作が入力されないと判定した場合には（ステップＳ１３；Ｎｏ）、ＣＰＵ２０は、当該ステップＳ７を繰り返し、ユーザによるタッチ操作が入力されたと判定した場合には（ステップＳ１３；Ｙｅｓ）、このタッチ操作が一般機能アイコンＧに対してされたものか否かを判定する（ステップＳ１４）。
【００４４】
このステップＳ１４において、一般機能アイコンＧに対するタッチ操作が入力されていない，つまり、入力されたタッチ操作が一般機能アイコンＧ以外へのものであると判定した場合には（ステップＳ１４；Ｎｏ）、ＣＰＵ２０は、後述のステップＳ１７へ移行する。
【００４５】
また、ステップＳ１４において、一般機能アイコンＧに対するタッチ操作が入力されたと判定した場合には（ステップＳ１４；Ｙｅｓ）、ＣＰＵ２０は、このタッチ操作された一般機能アイコンＧが把持機能データ８３ａのユーザ設定を行うためのものであるか否かを判定する（ステップＳ１５）。
【００４６】
このステップＳ１５において、タッチ操作された一般機能アイコンＧが把持機能データ８３ａのユーザ設定を行うためのものではないと判定した場合には（ステップＳ１５；Ｎｏ）、ＣＰＵ２０は、このタッチ操作された一般機能アイコンＧに応じた処理を実行する。
【００４７】
また、ステップＳ１５において、タッチ操作された一般機能アイコンＧが把持機能データ８３ａのユーザ設定を行うためのものであると判定した場合には（ステップＳ１５；Ｙｅｓ）、ＣＰＵ２０は、把持機能設定処理（ステップＴ１）を実行する。
【００４８】
図６に示すように、この把持機能設定処理では、まずＣＰＵ２０は、現在の検索状態が「新規入力状態」，「入力＆見出し一覧状態」及び「テキスト表示状態」のうちの何れであるかを検出する（ステップＴ１１）。
【００４９】
次に、ＣＰＵ２０は、現在の検索状態における把持機能データ８３として、ユーザに設定されたものが記憶部８０に記憶されているか否かを判定し（ステップＴ１２）、記憶されていないと判定した場合には（ステップＴ１２；Ｎｏ）、後述のステップＴ１４へ移行する。
【００５０】
また、ステップＴ１２において、現在の検索状態における把持機能データ８３として、ユーザに設定されたものが記憶部８０に記憶されていると判定した場合には（ステップＴ１２；Ｙｅｓ）、ＣＰＵ２０は、このユーザ設定された把持機能データ８３内の把持機能アイコンＨの情報（種類，位置，サイズ）に沿って、把持機能アイコンＨをディスプレイ１０の把持機能エリア１０ａに表示させる（ステップＴ１３）。
【００５１】
次に、ＣＰＵ２０は、ディスプレイ１０のタッチエリア１０ｂ内に把持機能設定ウィンドウＷ（図１５（ａ）等参照）を表示させる（ステップＴ１４）。この把持機能設定ウィンドウＷには、現在の検索状態と、把持機能エリア１０ａに配置可能な把持機能アイコンＨが表示される。
【００５２】
次に、ＣＰＵ２０は、ユーザのタッチ操作に基づいて、把持機能設定ウィンドウＷ内から把持機能アイコンＨを選択し、選択した把持機能アイコンＨを把持機能エリア１０ａ内の所望の位置に配置する（ステップＴ１５）。
次に、ＣＰＵ２０は、ユーザのタッチ操作に基づいて、ステップＴ１５で把持機能エリア１０ａ内に配置した把持機能アイコンＨの位置やサイズを適宜修正する（ステップＴ１６）。
【００５３】
次に、ＣＰＵ２０は、ユーザにより把持機能設定処理の終了操作が実行されるか否かを判定し（ステップＴ１７）、終了操作が実行されないと判定した場合には（ステップＴ１７；Ｎｏ）、上述のステップＴ１５へ移行する。
【００５４】
また、ステップＴ１７において、ユーザにより把持機能設定処理の終了操作が実行されたと判定した場合には（ステップＴ１７；Ｙｅｓ）、ＣＰＵ２０は、上述のステップＴ１５，Ｔ１６で把持機能エリア１０ａ内に配置された把持機能アイコンＨの種類や位置，サイズについての情報を、ユーザ設定された現在の検索状態における把持機能データ８３として記憶部８０に記憶させた後（ステップＴ１８）、把持機能設定ウィンドウＷを閉じて把持機能設定処理を終了する。
【００５５】
図５に示すように、次に、ＣＰＵ２０は、ステップＳ１３で入力を検出したタッチ操作が、ディスプレイ１０の検索モードエリア１０ｃ（図１１（ａ）参照）内で一定時間（例えば１秒）以上停止しているか否かを判定する（ステップＳ１７）。
【００５６】
このステップＳ１７において、入力されたタッチ操作が検索モードエリア１０ｃ内で一定時間以上停止していると判定した場合には（ステップＳ１７；Ｙｅｓ）、ＣＰＵ２０は、入力されたタッチ操作が検索モードの選択（変更）であると判断して、このタッチ操作に応じた検索モードの変更を実行した後（ステップＳ１８）、上述のステップＳ１７へ移行する。
【００５７】
また、ステップＳ１７において、入力されたタッチ操作が検索モードエリア１０ｃ内で一定時間以上停止してはいないと判定した場合には（ステップＳ１７；Ｎｏ）、ＣＰＵ２０は、入力されたタッチ操作が手書き文字の入力であると判断して、この手書き文字の認識を開始する（ステップＳ１９）。
【００５８】
図７に示すように、次に、ＣＰＵ２０は、認識された文字をディスプレイ１０の検索語表示エリア１０ｄ（図１１（ｂ）等参照）内に表示させるとともに、入力された文字に対応する見出し語又は書籍名等のリストを、該当する辞書データベース８２０又は電子書籍データベース８２１から読み出して、ディスプレイ１０のリスト表示エリア１０ｅ（図１１（ｂ）等参照）に一覧表示させる（ステップＳ２０）。また、ＣＰＵ２０は、リスト表示エリア１０ｅ内の先頭の見出し語又は書籍名等に対応する説明文又は本文のテキストの一部を、プレビューエリア１０ｆ（図１１（ｂ）等参照）に表示させる。
このとき、検索状態が、上述した「新規入力状態」から、検索語が少なくとも一部入力されて入力済み文字の検索結果リストが一覧表示された「入力＆見出し一覧状態」に切り替わり、ディスプレイ１０のタッチエリア１０ｂ内にリスト表示エリア１０ｅ及びプレビューエリア１０ｆが表示される。この「入力＆見出し一覧状態」では、文字入力を受け付けつつ、入力済みの検索語の検索及びその結果表示が随時行われる。
【００５９】
次に、ＣＰＵ２０は、電子辞書１本体がユーザに把持されているか否かを判定する（ステップＳ２１）。このステップＳ２１では、ＣＰＵ２０は、上述のステップＳ３と同様に、ディスプレイ１０（タッチパネル１１０）と、加速度センサ６０又は裏面タッチセンサ５０からの入力に基づいて、電子辞書１本体が把持されているか否かを判定する。
【００６０】
このステップＳ２１において、電子辞書１本体がユーザに把持されていると判定した場合（ステップＳ２１；Ｙｅｓ）、ＣＰＵ２０は、記憶部８０に記憶された把持機能データ８３のうち、「入力＆見出し一覧状態」の把持機能データ８３ｂとして、ユーザに設定されたものがあるか否かを判定する（ステップＳ２２）。
【００６１】
このステップＳ２２において、ユーザ設定された「入力＆見出し一覧状態」の把持機能データ８３ｂがあると判定した場合（ステップＳ２２；Ｙｅｓ）、ＣＰＵ２０は、このユーザ設定された把持機能データ８３ｂ内の把持機能アイコンＨの情報（種類，位置，サイズ）に基づいて、把持機能アイコンＨをディスプレイ１０の把持機能エリア１０ａ内に表示させる（ステップＳ２３）。
【００６２】
また、ステップＳ２２において、ユーザ設定された「入力＆見出し一覧状態」の把持機能データ８３ｂがないと判定した場合（ステップＳ２２；Ｎｏ）、ＣＰＵ２０は、初期設定の「入力＆見出し一覧状態」の把持機能データ８３ｂ内の把持機能アイコンＨの情報に基づいて、把持機能アイコンＨをディスプレイ１０の把持機能エリア１０ａに表示させる（ステップＳ２４）。本実施形態では、当該初期設定の把持機能データ８３ｂ内の把持機能アイコンＨの情報（上段位置「ＷＲＩＴＥ」、中段位置「ＳＣＲＯＬＬ」、下段位置「ＥＮＴＥＲ」）に基づいて、把持機能アイコンＨの「ＷＲＩＴＥ」、「ＳＣＲＯＬＬ」、「ＥＮＴＥＲ」がディスプレイ１０の把持機能エリア１０ａの上段、中段、下段に表示される（図１１（ｂ）等参照）。
【００６３】
次に、ＣＰＵ２０は、ユーザによるタッチ操作がディスプレイ１０（タッチパネル１１０）に入力されたか否かを判定し（ステップＳ２５）、入力されないと判定した場合には（ステップＳ２５；Ｎｏ）、当該ステップＳ２５を繰り返す。
【００６４】
また、ステップＳ２５において、ユーザによるタッチ操作が入力されたと判定した場合には（ステップＳ２５；Ｙｅｓ）、ＣＰＵ２０は、このタッチ操作が一般機能アイコンＧに対してされたものか否かを判定する（ステップＳ２６）。
【００６５】
このステップＳ２６において、一般機能アイコンＧに対するタッチ操作が入力されたと判定した場合には（ステップＳ２６；Ｙｅｓ）、ＣＰＵ２０は、このタッチ操作された一般機能アイコンＧに応じた処理を実行する。
【００６６】
また、ステップＳ２６において、一般機能アイコンＧに対するタッチ操作が入力されていない，つまり、入力されたタッチ操作が一般機能アイコンＧ以外へのものであると判定した場合には（ステップＳ２６；Ｎｏ）、ＣＰＵ２０は、ディスプレイ１０の把持機能エリア１０ａ内での把持位置が、把持機能アイコンＨの「ＳＣＲＯＬＬ」であるか否かを判定する（ステップＳ２７）。
【００６７】
このステップＳ２７において、把持位置が把持機能アイコンＨの「ＳＣＲＯＬＬ」であると判定した場合（ステップＳ２７；Ｙｅｓ）、ＣＰＵ２０は、当該把持位置に対応する機能を把持機能データ８３ｂから読み出して、入力されたタッチ操作がリスト表示のスクロールであると判断し、ディスプレイ１０のリスト表示エリア１０ｅに表示された見出し語又は書籍名等のリストに対して、当該タッチ操作に応じたスクロールのみをただちに実行した後に（ステップＳ２８）、上述のステップＳ２５へ移行する。
【００６８】
また、ステップＳ２７において、把持位置が把持機能アイコンＨの「ＳＣＲＯＬＬ」ではないと判定した場合には（ステップＳ２７；Ｎｏ）、ＣＰＵ２０は、把持位置が把持機能アイコンＨの「ＷＲＩＴＥ」であるか否かを判定する（ステップＳ２９）。
【００６９】
このステップＳ２９において、把持位置が把持機能アイコンＨの「ＷＲＩＴＥ」であると判定した場合（ステップＳ２９；Ｙｅｓ）、ＣＰＵ２０は、当該把持位置に対応する機能を把持機能データ８３ｂから読み出して、入力されたタッチ操作が手書き文字の入力であると判断し、この手書き文字の認識のみをただちに開始する（ステップＳ３０）。
【００７０】
そして、ＣＰＵ２０は、認識した文字を入力済みの文字に続けてディスプレイ１０の検索語表示エリア１０ｄ内に表示させるとともに、ここまでに入力された文字（検索語）に対応する見出し語又は書籍名等のリストを、該当する辞書データベース８２０又は電子書籍データベース８２１から読み出して、ディスプレイ１０のリスト表示エリア１０ｅに一覧表示させた後（ステップＳ３１）、上述のステップＳ２５へ移行する。
【００７１】
また、ステップＳ２９において、把持位置が把持機能アイコンＨの「ＷＲＩＴＥ」ではないと判定した場合には（ステップＳ２９；Ｎｏ）、ＣＰＵ２０は、把持位置が把持機能アイコンＨの「ＥＮＴＥＲ」であるか否かを判定する（ステップＳ３２）。
【００７２】
このステップＳ３２において、把持位置が把持機能アイコンＨの「ＥＮＴＥＲ」ではないと判定した場合（ステップＳ３２；Ｎｏ）、ＣＰＵ２０は、他の処理へ移行する。なお、把持機能データ８３ｂに「ＳＣＲＯＬＬ」，「ＷＲＩＴＥ」，「ＥＮＴＥＲ」以外の把持機能アイコンＨが設定されているときには、ＣＰＵ２０は、当該把持機能アイコンＨに対応した機能を実行する。
【００７３】
また、ステップＳ３２において、把持位置が把持機能アイコンＨの「ＥＮＴＥＲ」であると判定した場合には（ステップＳ３２；Ｙｅｓ）、ＣＰＵ２０は、当該把持位置に対応する機能を把持機能データ８３ｂから読み出して、入力されたタッチ操作が見出し語又は書籍名の選択（指定）であると判断し、このタッチ操作された見出し語又は書籍名の選択のみを実行した後に（ステップＳ３３）、後述のステップＳ５０へ移行する。
【００７４】
また、上述のステップＳ２１において、電子辞書１本体がユーザに把持されていないと判定した場合には（ステップＳ２１；Ｎｏ）、図８に示すように、ＣＰＵ２０は、ユーザによるタッチ操作がディスプレイ１０（タッチパネル１１０）に入力されたか否かを判定する（ステップＳ３４）。
【００７５】
このステップＳ３４において、ユーザによるタッチ操作が入力されないと判定した場合には（ステップＳ３４；Ｎｏ）、ＣＰＵ２０は、当該ステップＳ３４を繰り返し、ユーザによるタッチ操作が入力されたと判定した場合には（ステップＳ３４；Ｙｅｓ）、このタッチ操作が一般機能アイコンＧに対してされたものか否かを判定する（ステップＳ３５）。
【００７６】
このステップＳ３５において、一般機能アイコンＧに対するタッチ操作が入力されていない，つまり、入力されたタッチ操作が一般機能アイコンＧ以外へのものであると判定した場合には（ステップＳ３５；Ｎｏ）、ＣＰＵ２０は、後述のステップＳ３８へ移行する。
【００７７】
また、ステップＳ３５において、一般機能アイコンＧに対するタッチ操作が入力されたと判定した場合には（ステップＳ３５；Ｙｅｓ）、ＣＰＵ２０は、このタッチ操作された一般機能アイコンＧが把持機能データ８３ｂのユーザ設定を行うためのものであるか否かを判定する（ステップＳ３６）。
【００７８】
このステップＳ３６において、タッチ操作された一般機能アイコンＧが把持機能データ８３ｂのユーザ設定を行うためのものではないと判定した場合には（ステップＳ３６；Ｎｏ）、ＣＰＵ２０は、このタッチ操作された一般機能アイコンＧに応じた処理を実行する。
【００７９】
また、ステップＳ３６において、タッチ操作された一般機能アイコンＧが把持機能データ８３ｂのユーザ設定を行うためのものであると判定した場合には（ステップＳ３６；Ｙｅｓ）、ＣＰＵ２０は、上述の把持機能設定処理（ステップＴ１）を実行する。
【００８０】
次に、ＣＰＵ２０は、ステップＳ３４で入力を検出したタッチ操作が、ディスプレイ１０のリスト表示エリア１０ｅ内で一定時間（例えば１秒）以上停止しているか否かを判定する（ステップＳ３８）。
【００８１】
このステップＳ３８において、入力されたタッチ操作がリスト表示エリア１０ｅ内で一定時間以上停止してはいないと判定した場合には（ステップＳ３８；Ｎｏ）、ＣＰＵ２０は、このタッチ操作がリスト表示エリア１０ｅ内で移動しているか否かを判定する（ステップＳ３９）。
【００８２】
このステップＳ３９において、入力されたタッチ操作がリスト表示エリア１０ｅ内で移動していると判定した場合（ステップＳ３９；Ｙｅｓ）、ＣＰＵ２０は、リスト表示エリア１０ｅに表示された見出し語又は書籍名等のリストを、当該タッチ操作に応じてスクロールさせた後に（ステップＳ４０）、上述のステップＳ３８へ移行する。
【００８３】
また、ステップＳ３９において、入力されたタッチ操作がリスト表示エリア１０ｅ内で移動していないと判定した場合（ステップＳ３９；Ｎｏ）、ＣＰＵ２０は、このタッチ操作がプレビューエリア１０ｆ内でされたものか否かを判定する（ステップＳ４１）。
【００８４】
このステップＳ４１において、入力されたタッチ操作がプレビューエリア１０ｆ内でされたものではないと判定した場合（ステップＳ４１；Ｎｏ）、ＣＰＵ２０は、上述のステップＳ３８へ移行する。
【００８５】
また、ステップＳ４１において、入力されたタッチ操作がプレビューエリア１０ｆ内でされたものであると判定した場合（ステップＳ４１；Ｙｅｓ）、ＣＰＵ２０は、このタッチ操作が手書き文字の入力であると判断して、この手書き文字の認識を開始する（ステップＳ４２）。
【００８６】
そして、ＣＰＵ２０は、認識した文字を入力済みの文字に続けてディスプレイ１０の検索語表示エリア１０ｄ内に表示させるとともに、ここまでに入力された文字（検索語）に対応する見出し語又は書籍名等のリストを、該当する辞書データベース８２０又は電子書籍データベース８２１から読み出して、ディスプレイ１０のリスト表示エリア１０ｅに一覧表示させた後（ステップＳ４３）、上述のステップＳ３８へ移行する。
【００８７】
また、上述のステップＳ３８において、入力されたタッチ操作がディスプレイ１０のリスト表示エリア１０ｅ内で一定時間以上停止していると判定した場合には（ステップＳ３８；Ｙｅｓ）、ＣＰＵ２０は、このタッチ操作が見出し語又は書籍名の選択（指定）であると判断して、このタッチ操作された見出し語又は書籍名を選択する（ステップＳ４４）。
【００８８】
図９に示すように、次に、ＣＰＵ２０は、選択された見出し語の説明文のテキスト又は書籍名の本文のテキストを、該当する辞書データベース８２０又は電子書籍データベース８２１から読み出して、ディスプレイ１０のテキスト表示エリア１０ｇ（図１２（ｃ）等参照）内に表示させる（ステップＳ５０）。
このとき、検索状態が、上述した「入力＆見出し一覧状態」から、選択された見出し語の説明文のテキスト又は書籍名の本文のテキストが表示された「テキスト表示状態」に切り替わり、検索語表示エリア１０ｄ，リスト表示エリア１０ｅ及びプレビューエリア１０ｆに代わって、テキスト表示エリア１０ｇがディスプレイ１０のタッチエリア１０ｂ内に表示される。
【００８９】
次に、ＣＰＵ２０は、電子辞書１本体がユーザに把持されているか否かを判定する（ステップＳ５１）。このステップＳ５１では、ＣＰＵ２０は、上述のステップＳ３，Ｓ２１と同様に、ディスプレイ１０（タッチパネル１１０）と、加速度センサ６０又は裏面タッチセンサ５０からの入力に基づいて、電子辞書１本体が把持されているか否かを判定する。
【００９０】
このステップＳ５１において、電子辞書１本体がユーザに把持されていると判定した場合（ステップＳ５１；Ｙｅｓ）、ＣＰＵ２０は、記憶部８０に記憶された把持機能データ８３のうち、「テキスト表示状態」の把持機能データ８３ｃとして、ユーザに設定されたものがあるか否かを判定する（ステップＳ５２）。
【００９１】
このステップＳ５２において、ユーザ設定された「テキスト表示状態」の把持機能データ８３ｃがあると判定した場合（ステップＳ５２；Ｙｅｓ）、ＣＰＵ２０は、このユーザ設定された把持機能データ８３ｃ内の把持機能アイコンＨの情報（種類，位置，サイズ）に基づいて、把持機能アイコンＨをディスプレイ１０の把持機能エリア１０ａ内に表示させる（ステップＳ５３）。
【００９２】
また、ステップＳ５２において、ユーザ設定された「テキスト表示状態」の把持機能データ８３ｃがないと判定した場合（ステップＳ５２；Ｎｏ）、ＣＰＵ２０は、初期設定の「テキスト表示状態」の把持機能データ８３ｃ内の把持機能アイコンＨの情報に基づいて、把持機能アイコンＨをディスプレイ１０の把持機能エリア１０ａに表示させる（ステップＳ５４）。本実施形態では、当該初期設定の把持機能データ８３ｃ内の把持機能アイコンＨの情報（上段位置「ＧＥＳＴＵＲＥ」、中段位置「ＳＣＲＯＬＬ」、下段位置「ＳＥＬＥＣＴ」）に基づいて、把持機能アイコンＨの「ＧＥＳＴＵＲＥ」、「ＳＣＲＯＬＬ」、「ＳＥＬＥＣＴ」がディスプレイ１０の把持機能エリア１０ａの上段、中段、下段に表示される（図１２（ｃ）等参照）。
【００９３】
次に、ＣＰＵ２０は、ユーザによるタッチ操作がディスプレイ１０（タッチパネル１１０）に入力されたか否かを判定し（ステップＳ５５）、入力されないと判定した場合には（ステップＳ５５；Ｎｏ）、当該ステップＳ５５を繰り返す。
【００９４】
また、ステップＳ５５において、ユーザによるタッチ操作が入力されたと判定した場合には（ステップＳ５５；Ｙｅｓ）、ＣＰＵ２０は、このタッチ操作が一般機能アイコンＧに対してされたものか否かを判定する（ステップＳ５６）。
【００９５】
このステップＳ５６において、一般機能アイコンＧに対するタッチ操作が入力されたと判定した場合には（ステップＳ５６；Ｙｅｓ）、ＣＰＵ２０は、このタッチ操作された一般機能アイコンＧに応じた処理を実行する。
【００９６】
また、ステップＳ５６において、一般機能アイコンＧに対するタッチ操作が入力されていない，つまり、入力されたタッチ操作が一般機能アイコンＧ以外へのものであると判定した場合には（ステップＳ５６；Ｎｏ）、ＣＰＵ２０は、ディスプレイ１０の把持機能エリア１０ａ内での把持位置が、把持機能アイコンＨの「ＳＣＲＯＬＬ」であるか否かを判定する（ステップＳ５７）。
【００９７】
このステップＳ５７において、把持位置が把持機能アイコンＨの「ＳＣＲＯＬＬ」であると判定した場合（ステップＳ５７；Ｙｅｓ）、ＣＰＵ２０は、当該把持位置に対応する機能を把持機能データ８３ｃから読み出して、入力されたタッチ操作がテキスト表示のスクロールであると判断し、ディスプレイ１０のテキスト表示エリア１０ｇに表示されたテキストに対して、当該タッチ操作に応じたスクロールのみをただちに実行した後に（ステップＳ５８）、上述のステップＳ５５へ移行する。
【００９８】
また、ステップＳ５７において、把持位置が把持機能アイコンＨの「ＳＣＲＯＬＬ」ではないと判定した場合には（ステップＳ５７；Ｎｏ）、ＣＰＵ２０は、把持位置が把持機能アイコンＨの「ＧＥＳＴＵＲＥ」であるか否かを判定する（ステップＳ５９）。
【００９９】
このステップＳ５９において、把持位置が把持機能アイコンＨの「ＧＥＳＴＵＲＥ」であると判定した場合（ステップＳ５９；Ｙｅｓ）、ＣＰＵ２０は、当該把持位置に対応する機能を把持機能データ８３ｃから読み出して、入力されたタッチ操作がジェスチャー操作であると判断し、そのタッチ操作の軌跡をディスプレイ１０に表示させた後（ステップＳ６０）、このジェスチャー操作に対応する機能のみを実行する（ステップＳ６１）。ここで、ジェスチャー操作としては、例えば、ユーザが手書き文字「Ｌ」を入力した場合に所定範囲のテキストが音声で出力されたり、手書き文字「Ｎ」又は「Ｐ」を入力した場合にテキストのページ送り又はページ戻りが実行されたりするものなどがある。
【０１００】
また、ステップＳ５９において、把持位置が把持機能アイコンＨの「ＧＥＳＴＵＲＥ」ではないと判定した場合（ステップＳ５９；Ｎｏ）、ＣＰＵ２０は、把持位置が把持機能アイコンＨの「ＳＥＬＥＣＴ」であるか否かを判定する（ステップＳ６２）。
【０１０１】
このステップＳ６２において、把持位置が把持機能アイコンＨの「ＳＥＬＥＣＴ」ではないと判定した場合（ステップＳ６２；Ｎｏ）、ＣＰＵ２０は、他の処理へ移行する。なお、把持機能データ８３ｃに「ＳＣＲＯＬＬ」，「ＧＥＳＴＵＲＥ」，「ＳＥＬＥＣＴ」以外の把持機能アイコンＨが設定されているときには、ＣＰＵ２０は、当該把持機能アイコンＨに対応した機能を実行する。
【０１０２】
また、ステップＳ６２において、把持位置が把持機能アイコンＨの「ＳＥＬＥＣＴ」であると判定した場合（ステップＳ６２；Ｙｅｓ）、ＣＰＵ２０は、当該把持位置に対応する機能を把持機能データ８３ｃから読み出して、タッチ操作された単語を指定表示（例えば反転表示や太字表示など）させるとともに、この単語に対して実行可能な機能を、吹き出し状の単語機能ウィンドウ１０ｈ（図１３（ａ）参照）内にアイコン表示させる（ステップＳ６３）。ここで、この単語に対して実行可能な機能としては、例えば当該単語のジャンプ検索、マーカー表示、音声出力などが挙げられる。
【０１０３】
次に、ＣＰＵ２０は、ユーザのタッチ操作により単語機能ウィンドウ１０ｈ内の機能アイコンが選択されるか否かを判定し（ステップＳ６４）、選択されないと判定した場合（ステップＳ６４；Ｎｏ）、他の処理へ移行する。また、単語機能ウィンドウ１０ｈ内の機能アイコンが選択されたと判定した場合には（ステップＳ６４；Ｙｅｓ）、ＣＰＵ２０は、選択された機能アイコンに応じた機能を実行する（ステップＳ６５）。
【０１０４】
また、上述のステップＳ５１において、電子辞書１本体がユーザに把持されていないと判定した場合には（ステップＳ５１；Ｎｏ）、図１０に示すように、ＣＰＵ２０は、ユーザによるタッチ操作がディスプレイ１０（タッチパネル１１０）に入力されたか否かを判定する（ステップＳ６６）。
【０１０５】
このステップＳ６６において、ユーザによるタッチ操作が入力されないと判定した場合には（ステップＳ６６；Ｎｏ）、ＣＰＵ２０は、当該ステップＳ６６を繰り返し、ユーザによるタッチ操作が入力されたと判定した場合には（ステップＳ６６；Ｙｅｓ）、このタッチ操作が一般機能アイコンＧに対してされたものか否かを判定する（ステップＳ６７）。
【０１０６】
このステップＳ６７において、一般機能アイコンＧに対するタッチ操作が入力されていない，つまり、入力されたタッチ操作が一般機能アイコンＧ以外へのものであると判定した場合には（ステップＳ６７；Ｎｏ）、ＣＰＵ２０は、後述のステップＳ７０へ移行する。
【０１０７】
また、ステップＳ６７において、一般機能アイコンＧに対するタッチ操作が入力されたと判定した場合には（ステップＳ６７；Ｙｅｓ）、ＣＰＵ２０は、このタッチ操作された一般機能アイコンＧが把持機能データ８３ｃのユーザ設定を行うためのものであるか否かを判定する（ステップＳ６８）。
【０１０８】
このステップＳ６８において、タッチ操作された一般機能アイコンＧが把持機能データ８３ｃのユーザ設定を行うためのものではないと判定した場合には（ステップＳ６８；Ｎｏ）、ＣＰＵ２０は、このタッチ操作された一般機能アイコンＧに応じた処理を実行する。
【０１０９】
また、ステップＳ６８において、タッチ操作された一般機能アイコンＧが把持機能データ８３ｃのユーザ設定を行うためのものであると判定した場合には（ステップＳ６８；Ｙｅｓ）、ＣＰＵ２０は、上述の把持機能設定処理（ステップＴ１）を実行する。
【０１１０】
次に、ＣＰＵ２０は、入力されたタッチ操作が一方向に移動するものであるか否かを判定し（ステップＳ７０）、一方向に移動するものであると判定した場合には（ステップＳ７０；Ｙｅｓ）、テキスト表示エリア１０ｇに表示されたテキストをこの方向にスクロールさせた後に（ステップＳ７１）、上述のステップＳ７０へ移行する。
【０１１１】
また、ステップＳ７０において、入力されたタッチ操作が一方向に移動するものではないと判定した場合には（ステップＳ７０；Ｎｏ）、ＣＰＵ２０は、このタッチ操作が一定程度以上に曲がって移動するものであるか否かを判定する（ステップＳ７２）。
【０１１２】
このステップＳ７２において、入力されたタッチ操作が曲がって移動するものであると判定した場合（ステップＳ７２；Ｙｅｓ）、ＣＰＵ２０は、このタッチ操作がジェスチャー操作であると判断して、そのタッチ操作の軌跡をディスプレイ１０に表示させる（ステップＳ７３）。そして、ＣＰＵ２０は、このジェスチャー操作に対応する機能を実行した後に（ステップＳ７４）、上述のステップＳ７０へ移行する。
【０１１３】
また、ステップＳ７２において、入力されたタッチ操作が曲がって移動するものではないと判定した場合には（ステップＳ７２；Ｎｏ）、ＣＰＵ２０は、このタッチ操作がテキスト表示エリア１０ｇ内で一定時間（例えば１秒）以上停止しているか否かを判定する（ステップＳ７５）。
【０１１４】
このステップＳ７５において、入力されたタッチ操作がテキスト表示エリア１０ｇ内で一定時間以上停止してはいないと判定した場合（ステップＳ７５；Ｎｏ）、ＣＰＵ２０は、上述のステップＳ７０へ移行する。
【０１１５】
また、ステップＳ７５において、入力されたタッチ操作がテキスト表示エリア１０ｇ内で一定時間以上停止していると判定した場合には（ステップＳ７５；Ｙｅｓ）、ＣＰＵ２０は、タッチ操作された単語を指定表示（例えば反転表示や太字表示など）させるとともに、この単語に対して実行可能な機能を、吹き出し状の単語機能ウィンドウ１０ｈ内にアイコン表示させる（ステップＳ７６）。
【０１１６】
次に、ＣＰＵ２０は、ユーザのタッチ操作により単語機能ウィンドウ１０ｈ内の機能アイコンが選択されるか否かを判定し（ステップＳ７７）、選択されないと判定した場合（ステップＳ７７；Ｎｏ）、他の処理へ移行する。また、単語機能ウィンドウ１０ｈ内の機能アイコンが選択されたと判定した場合には（ステップＳ７７；Ｙｅｓ）、ＣＰＵ２０は、選択された機能アイコンに応じた機能を実行する（ステップＳ７８）。
【０１１７】
［動作例］
続いて、上述した電子辞書１の動作について、具体例を示して説明する。
図１１〜図１５は、上述の情報表示制御処理におけるディスプレイ１０の表示例を示す図である。
【０１１８】
まずユーザが、コンテンツ選択キー２ｄを操作して「英英辞典」の辞書データベース８２０を選択すると（ステップＳ１）、当該辞書データベース８２０に対する検索画面がディスプレイ１０に表示される（ステップＳ２）。この検索画面では、見出し語検索、スペルチェック、成句検索、例文検索が実行可能となっているが、デフォルトで見出し語検索が選択されている。またこのときには、検索状態は「新規入力状態」となっている。
【０１１９】
次に、図１１（ａ）に示すように、ユーザが電子辞書１本体を左手で持ち上げつつ（裏面タッチセンサ５０をタッチしつつ）、ディスプレイ１０左端部の把持機能エリア１０ａ内を左手の親指でタッチしていることにより、電子辞書１本体がユーザに把持されていると判定される（ステップＳ３；Ｙｅｓ）。
【０１２０】
すると、このときにはユーザ設定された「新規入力状態」の把持機能データ８３ａがないため（ステップＳ４；Ｎｏ）、初期設定の「新規入力状態」の把持機能データ８３ａが読み出されて、把持機能アイコンＨの「ＷＲＩＴＥ」と「ＳＥＬＥＣＴ」がディスプレイ１０の把持機能エリア１０ａの上段と中段に表示される（ステップＳ６）。
【０１２１】
次に、ユーザによるタッチペンを用いたタッチ操作が入力されると（ステップＳ７；Ｙｅｓ）、このときの把持位置が把持機能アイコンＨの「ＷＲＩＴＥ」であるため（ステップＳ８；Ｎｏ、Ｓ９；Ｎｏ、Ｓ１１；Ｙｅｓ）、ユーザによるタッチ操作が手書き文字の入力であると判断されて、ユーザがディスプレイ１０（タッチエリア１０ｂ）内になぞった手書き文字「ｄ」が認識される。
【０１２２】
このときには、ユーザが把持機能アイコンＨの「ＷＲＩＴＥ」をタッチしておくことで、手書き文字の認識のみが実行可能な状態となるため、ユーザは、他の機能を誤って実行させることなく、ディスプレイ１０のタッチエリア１０ｂ全面を使って手書き文字を入力することができる。
【０１２３】
すると、検索状態が「初期入力状態」から「入力＆見出し一覧状態」に切り替わり、ディスプレイ１０のタッチエリア１０ｂ内の表示内容も、「初期入力状態」の検索画面から「入力＆見出し一覧状態」のものに切り替わる。具体的には、ディスプレイ１０のタッチエリア１０ｂには、入力された文字「ｄ」が検索語表示エリア１０ｄに表示され、文字「ｄ」での見出し語検索結果のリストがリスト表示エリア１０ｅに表示され、このうち先頭の見出し語に対応する説明文のテキストがプレビューエリア１０ｆに表示される（ステップＳ２０）。
【０１２４】
そして、このときにはユーザ設定された「入力＆見出し一覧状態」の把持機能データ８３ｂがないため（ステップＳ２１；Ｙｅｓ、Ｓ２２；Ｎｏ）、初期設定の「入力＆見出し一覧状態」の把持機能データ８３ｂが読み出されて、把持機能アイコンＨの「ＷＲＩＴＥ」，「ＳＣＲＯＬＬ」，「ＥＮＴＥＲ」がディスプレイ１０の把持機能エリア１０ａの上段、中段、下段に表示される（ステップＳ２４）。
【０１２５】
次に、図１１（ｂ）に示すように、ユーザがそのまま続けて手書き文字「ｉ」，「ｃ」，「ｔ」を順次入力していくと（ステップＳ２５；Ｙｅｓ、Ｓ２６；Ｎｏ、Ｓ２７；Ｎｏ、Ｓ２９；Ｙｅｓ、Ｓ３０、Ｓ３１）、把持位置が把持機能アイコンＨの「ＷＲＩＴＥ」のままであるために、これらの手書き文字が順次認識されていき、検索語表示エリア１０ｄ，リスト表示エリア１０ｅ及びプレビューエリア１０ｆの表示内容が逐次更新されていく。
【０１２６】
次に、図１１（ｃ）に示すように、ユーザが左手の親指での把持位置を把持機能アイコンＨの「ＳＣＲＯＬＬ」に変えた状態で、リスト表示エリア１０ｅ内の見出し語「diction」をタッチしてそのまま上方へスライド（スワイプ）させると（ステップＳ２５；Ｙｅｓ、Ｓ２６；Ｎｏ、Ｓ２７；Ｙｅｓ）、このタッチ操作がリスト表示のスクロールであると判断され、図１２（ａ）に示すように、リスト表示エリア１０ｅ内の見出し語リストが上方へスクロールされる（ステップＳ２８）。
【０１２７】
このときには、ユーザが把持機能アイコンＨの「ＳＣＲＯＬＬ」をタッチしておくことで、リスト表示のスクロールのみが実行可能な状態となるため、例えば、ユーザが見出し語「diction」を多少長押ししてしまったとしても、この見出し語が選択されてテキスト表示されるといった誤操作は生じない。
【０１２８】
次に、図１２（ｂ）に示すように、ユーザが左手の親指での把持位置を把持機能アイコンＨの「ＥＮＴＥＲ」に変えた状態で、見出し語「dictionary」をタッチすると（ステップＳ２５；Ｙｅｓ、Ｓ２６；Ｎｏ、Ｓ２７；Ｎｏ、Ｓ２９；Ｎｏ、Ｓ３２；Ｙｅｓ）、このタッチ操作が見出し語の選択であると判断されて、見出し語「dictionary」が選択される（ステップＳ３３）。
【０１２９】
このときには、ユーザが把持機能アイコンＨの「ＥＮＴＥＲ」をタッチしておくことで、見出し語の選択（指定）のみが実行可能な状態となるため、例えば、ユーザが見出し語「dictionary」を弾くようにタッチ操作してしまったとしても、見出し語リストがスクロールされるといった誤操作は生じない。
【０１３０】
すると、検索状態が「入力＆見出し一覧状態」から「テキスト表示状態」に切り替わり、ディスプレイ１０のタッチエリア１０ｂ内の表示内容も、「入力＆見出し一覧状態」のものから「テキスト表示状態」のものに切り替わる。具体的には、ディスプレイ１０のタッチエリア１０ｂには、図１２（ｃ）に示すように、選択された見出し語「dictionary」の説明文のテキストがテキスト表示エリア１０ｇに表示される（ステップＳ５０）。
【０１３１】
そして、このときにはユーザ設定された「テキスト表示状態」の把持機能データ８３ｃがないため（ステップＳ５１；Ｙｅｓ、Ｓ５２；Ｎｏ）、初期設定の「テキスト表示状態」の把持機能データ８３ｃが読み出されて、把持機能アイコンＨの「ＧＥＳＴＵＲＥ」，「ＳＣＲＯＬＬ」，「ＳＥＬＥＣＴ」がディスプレイ１０の把持機能エリア１０ａの上段、中段、下段に表示される（ステップＳ５４）。
【０１３２】
次に、図１３（ａ）に示すように、ユーザが左手の親指での把持位置を把持機能アイコンＨの「ＳＥＬＥＣＴ」とした状態で、テキスト表示エリア１０ｇに表示されたテキスト内の単語「explains」をタッチすると（ステップＳ５５；Ｙｅｓ、Ｓ５６；Ｎｏ、Ｓ５７；Ｎｏ、Ｓ５９；Ｎｏ、Ｓ６２；Ｙｅｓ）、この単語「explains」が指定表示されるとともに、当該単語に対して実行可能な機能「ジャンプ」，「マーカー」，「発音」が吹き出し状の単語機能ウィンドウ１０ｈ内にアイコン表示される（ステップＳ６３）。
【０１３３】
次に、図１３（ｂ）に示すように、ユーザが単語機能ウィンドウ１０ｈ内のアイコン「マーカー」をタッチすると（ステップＳ６４；Ｙｅｓ）、テキスト表示エリア１０ｇ内で選択された単語「explains」がマーカー表示される（ステップＳ６５）。
【０１３４】
次に、図１３（ｃ）に示すように、ユーザが左手の親指での把持位置を把持機能アイコンＨの「ＧＥＳＴＵＲＥ」に変えた状態で、テキスト表示エリア１０ｇ内で手書き文字「Ｌ」を入力すると（ステップＳ５５；Ｙｅｓ、Ｓ５６；Ｎｏ、Ｓ５７；Ｎｏ、Ｓ５９；Ｙｅｓ）、このタッチ操作が音声出力のジェスチャー操作であると判断される。そして、このタッチ操作の軌跡（つまり手書き文字「Ｌ」）がディスプレイ１０に表示されるとともに（ステップＳ６０）、図１４（ａ）に示すように、手書き文字「Ｌ」の縦幅の範囲のテキストが音声出力される。
【０１３５】
次に、図１４（ｂ）に示すように、ユーザが左手の親指での把持位置を把持機能アイコンＨの「ＧＥＳＴＵＲＥ」としたままの状態で、テキスト表示エリア１０ｇ内で手書き文字「Ｎ」を入力すると（ステップＳ５５；Ｙｅｓ、Ｓ５６；Ｎｏ、Ｓ５７；Ｎｏ、Ｓ５９；Ｙｅｓ）、このタッチ操作がページ送りのジェスチャー操作であると判断される。そして、このタッチ操作の軌跡（つまり手書き文字「Ｎ」）がディスプレイ１０に表示されるとともに（ステップＳ６０）、図１４（ｃ）に示すように、テキスト表示エリア１０ｇの表示内容が次ページに送られる（ステップＳ６１）。
【０１３６】
続いて、上述した電子辞書１の動作のうち、把持機能データ８３をユーザ設定するときの動作について、具体例を示して説明する。
【０１３７】
まず、ユーザによる上述と同様の操作により、検索状態が「入力＆見出し一覧状態」とされたときに（ステップＳ２０）、ユーザが電子辞書１本体を把持していない状態で（ステップＳ２１；Ｎｏ）、把持機能データ８３ｂのユーザ設定を行う一般機能アイコンＧをタッチすると（ステップＳ３４；Ｙｅｓ、Ｓ３５；Ｙｅｓ、Ｓ３６；Ｙｅｓ）、把持機能設定処理が実行される（ステップＴ１）。
【０１３８】
把持機能設定処理では、現在の検索状態である「入力＆見出し一覧状態」においてユーザ設定された把持機能データ８３ｂがないため（ステップＴ１１、Ｔ１２；Ｎｏ）、把持機能エリア１０ａがブランクのまま、ディスプレイ１０のタッチエリア１０ｂ内に把持機能設定ウィンドウＷが表示される（ステップＴ１４）。この把持機能設定ウィンドウＷには、現在の検索状態と、把持機能エリア１０ａに配置可能な把持機能アイコンＨが表示されている。
【０１３９】
次に、図１５（ａ）に示すように、ユーザは、把持機能設定ウィンドウＷ内の把持機能アイコンＨ「ＳＣＲＯＬＬ」をドラッグして把持機能エリア１０ａ内の上段に配置し、同様にして把持機能アイコンＨ「ＷＲＩＴＥ」を把持機能エリア１０ａ内の中段に配置する（ステップＴ１５）。
【０１４０】
次に、図１５（ｂ）に示すように、ユーザは、同様にして把持機能アイコンＨ「ＥＮＴＥＲ」を把持機能エリア１０ａ内の下段に配置した後に（ステップＴ１５）、当該把持機能アイコンＨ「ＥＮＴＥＲ」の下端を下方へドラッグすると、当該把持機能アイコンＨ「ＥＮＴＥＲ」のサイズが下側へ延長される（ステップＴ１６）。
【０１４１】
次に、ユーザが把持機能設定処理の終了操作を実行すると（ステップＴ１７；Ｙｅｓ）、把持機能エリア１０ａ内に設定された把持機能アイコンＨの情報が、ユーザ設定された把持機能データ８３ｂとして記憶部８０に記憶された後（ステップＴ１８）、把持機能設定ウィンドウＷが閉じられて把持機能設定処理が終了する。
【０１４２】
以上、本実施形態によれば、図４のステップＳ９〜Ｓ１２や、図７のステップＳ２７〜Ｓ３３、図９のステップＳ５７〜Ｓ６５、図１１〜図１４等に示したように、ユーザによる把持機能エリア１０ａ内の把持位置（把持機能アイコンＨ）へのタッチが検出された場合に、当該把持位置に対応する機能が把持機能データ８３から読み出されて、当該機能のみがユーザによるタッチ操作に応じて実行される。これにより、タッチ位置が意図した位置から多少ずれたりした場合であっても、把持位置に対応する機能以外の機能は実行されることがない。したがって、電子辞書１本体を手に持った状態でタッチ操作を行う場合であっても、誤操作を防止することができる。
【０１４３】
また、図６のステップＴ１５〜Ｔ１８や、図１５等に示したように、把持位置とこれに対応する機能とを、ユーザ操作に基づいて対応付けて記憶させることができるので、ユーザは、所望の把持位置とこれに対応する機能とを、使いやすさ等に応じて適宜設定することができる。
【０１４４】
また、図３や、図４のステップＳ９〜Ｓ１２、図７のステップＳ２７〜Ｓ３３、図９のステップＳ５７〜Ｓ６５、図１１〜図１４等に示したように、複数の検索状態それぞれにおいて把持位置とこれに対応する機能とが個別に対応付けられて把持機能データ８３として記憶されており、ユーザによるタッチ操作が検出されたときの検索状態に応じて、把持位置に対応する機能が把持機能データ８３から読み出されて実行される。したがって、誤操作を防止しつつ、各検索状態に応じた機能だけを実行することができる。
【０１４５】
なお、本発明を適用可能な実施形態は、上述の実施形態に限定されることなく、本発明の趣旨を逸脱しない範囲で適宜変更可能である。
【０１４６】
例えば、本発明に係る携帯端末装置を電子辞書１として説明したが、本発明は、このような製品に限定されず、携帯電話（スマートフォン含む）、タブレット端末、ＰＤＡ（Personal Digital Assistant）、携帯ゲーム機などの携帯可能な電子機器全般に適用可能であり、特に片手で把持して持ち上げることが可能なものに好適に適用される。なかでも、本発明に係る携帯端末装置は、図１６に示すように、タブレット端末１Ａとして特に好適に適用することができる。なお、タブレット端末１Ａは、電子辞書１と異なりキー群を有していないため、文字入力の際には、図示しないソフトキーボードをディスプレイ１０（タッチパネル１１０）に表示させてユーザからの入力を受け付けるように構成される。
【０１４７】
また、本発明に係るプログラム（情報表示制御プログラム８１）は、電子辞書１に対して着脱可能な記憶媒体７０ａに記憶されることとしてもよい。
【０１４８】
また、把持機能データ８３をユーザ設定する把持機能設定処理は、電子辞書１本体が把持されていないと判定されたときに実行されることとしたが、電子辞書１本体が把持されているときに実行できることとしてもよい。
【０１４９】
また、把持機能アイコンＨが配置される把持機能エリア１０ａは、ユーザが左手で電子辞書１本体を把持するものとして、ディスプレイ１０の左端部に設けられることとしたが、ディスプレイ１０の右端部に位置変更できるように構成してもよい。
【０１５０】
また、把持位置はディスプレイ１０内の把持機能アイコンＨでなくともよく、例えば、ディスプレイ１０外にタッチセンサを設け、当該タッチセンサの位置を把持位置としてもよい。
【０１５１】
以上、本発明のいくつかの実施形態を説明したが、本発明の範囲は、上述の実施形態に限定されるものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
タッチ操作により複数の機能を実行可能な携帯端末装置において、
装置本体に設けられた把持エリア内の把持位置と、前記複数の機能のうちの何れかの機能とを対応付けて記憶する把持機能記憶手段と、
前記把持エリアと異なるタッチエリアに対するユーザによるタッチ操作を検出するタッチ操作検出手段と、
ユーザにより前記把持位置が押圧されたか否かを検出する把持位置検出手段と、
前記把持位置検出手段により前記把持位置の押圧が検出されない場合に、前記複数の機能のうちの任意の機能を、前記タッチ操作検出手段により検出されたタッチ操作に応じて実行する任意機能実行手段と、
前記把持位置検出手段により前記把持位置の押圧が検出された場合に、当該把持位置に対応する機能を前記把持機能記憶手段から読み出して、当該機能のみを前記タッチ操作検出手段により検出されたタッチ操作に応じて実行する把持機能実行手段と、
を備えることを特徴とする携帯端末装置。
＜請求項２＞
請求項１に記載の携帯端末装置において、
タッチパネルと、
装置本体が把持されているか否かを判定する把持状態判定手段と、
前記把持状態判定手段により装置本体が把持されていると判定された場合に、前記何れかの機能に対応付けられた前記把持位置を前記タッチパネル上に表示させる把持位置表示手段と、
を備えることを特徴とする携帯端末装置。
＜請求項３＞
請求項２に記載の携帯端末装置において、
前記把持機能記憶手段は、複数の把持位置と、互いに異なる複数の機能とを対応付けて記憶し、
前記把持位置表示手段は、前記把持状態判定手段により装置本体が把持されていると判定された場合に、互いに異なる機能に対応付けられた前記複数の把持位置を前記タッチパネル上に表示させることを特徴とする携帯端末装置。
＜請求項４＞
請求項１〜３の何れか一項に記載の携帯端末装置において、
把持機能記憶手段は、前記把持位置と、前記複数の機能のうちユーザ操作により選択された機能とを対応付けて記憶することを特徴とする携帯端末装置。
＜請求項５＞
請求項１〜４の何れか一項に記載の携帯端末装置において、
ユーザによる文字入力に応じて情報を検索する情報検索手段と、
前記情報検索手段により検索された情報を表示させる検索情報表示手段と、
を備え、
前記把持機能記憶手段は、文字入力を受け付けつつ前記情報検索手段による情報検索が随時行われる検索中状態と、前記検索情報表示手段により情報が表示された情報表示状態とを含む複数の検索状態それぞれにおいて、前記把持位置と前記複数の機能のうちの何れかの機能とを個別に対応付けて記憶し、
前記把持機能実行手段は、前記タッチ操作検出手段によりタッチ操作が検出されたときの前記検索状態に応じて、前記把持位置に対応する機能を前記把持機能記憶手段から読み出して実行することを特徴とする携帯端末装置。
＜請求項６＞
請求項５に記載の携帯端末装置において、
把持機能記憶手段は、前記把持位置と、前記複数の機能のうちユーザ操作により選択された機能とを、前記検索状態毎に対応付けて記憶することを特徴とする携帯端末装置。
＜請求項７＞
タッチ操作により複数の機能を実行可能であって、装置本体にユーザにより把持可能な把持エリアを備えるコンピュータに、
前記把持エリア内の把持位置と、前記複数の機能のうちの何れかの機能とを対応付けて記憶させる把持機能記憶機能と、
前記把持エリアと異なるタッチエリアに対するユーザによるタッチ操作を検出するタッチ操作検出機能と、
ユーザにより前記把持位置が押圧されたか否かを検出する把持位置検出機能と、
前記把持位置検出機能により前記把持位置の押圧が検出されない場合に、前記複数の機能のうちの任意の機能を、前記タッチ操作検出機能により検出されたタッチ操作に応じて実行する任意機能実行機能と、
前記把持位置検出機能により前記把持位置の押圧が検出された場合に、前記把持機能記憶機能から当該把持位置に対応する機能を読み出して、当該機能のみを前記タッチ操作検出機能により検出されたタッチ操作に応じて実行する把持機能実行機能と、
を実現させることを特徴とするプログラム。
【符号の説明】
【０１５２】
１      電子辞書
１０    ディスプレイ
２０    ＣＰＵ
８０    記憶部
８１    情報表示制御プログラム
８３    把持機能データ
Ｈ      把持機能アイコン
【図１】
2015060494.tif 000003
【図２】
2015060494.tif 000004
【図３】
2015060494.tif 000005
【図４】
2015060494.tif 000006
【図５】
2015060494.tif 000007
【図６】
2015060494.tif 000008
【図７】
2015060494.tif 000009
【図８】
2015060494.tif 000010
【図９】
2015060494.tif 000011
【図１０】
2015060494.tif 000012
【図１１】
2015060494.tif 000013
【図１２】
2015060494.tif 000014
【図１３】
2015060494.tif 000015
【図１４】
2015060494.tif 000016
【図１５】
2015060494.tif 000017
【図１６】
2015060494.tif 000018